(57)【要約】      （修正有）【課題】内容物の残量を最小限に抑えられる構造からなり、直立が容易になり、ポンピング動作が防止されて流通過程での内容物の漏れを防止することができる内容物容器を提供する。【解決手段】内容物容器１００は、ポンピングによって内容物を排出する排出部１１１を含む容器部１１０と、容器部の下端に締結されて容器部を支持面に支持する支持部１２０と、を含み、支持部は、容器部の下端から分離された後、排出部に結合されて排出部をカバーする。排出部は、容器部において開放された一側に結合されて開放された一側を密閉することができ、ヘッド１１１Ａとカバーキャップ１１１Ｂを含む。【選択図】図９
0003228372.tif 000002
【実用新案登録請求の範囲】
【請求項１】
ポンピングによって内容物を排出する排出部を含む容器部と、
前記容器部の下端に締結されて前記容器部を支持面に支持する支持部と、
を含み、
前記支持部は、前記容器部の下端から分離された後、前記排出部に結合されて前記排出部をカバーすることを特徴とする内容物容器。
【請求項２】
前記容器部は底面が形成され、前記底面から反対方向に一定区間を有する下端部を含み、
前記支持部は前記容器部の下端部が嵌合される嵌合孔が形成されることを特徴とする請求項１に記載の内容物容器。
【請求項３】
前記排出部は上端面を含み、
前記支持部は前記排出部の上端面が嵌合されて前記排出部のポンピング動作を遮断するか、前記容器部の下端部が嵌合されて前記容器部を直立させ、
前記上端面と前記底面は同じ面積と同じ形状を有することを特徴とする請求項２に記載の内容物容器。
【請求項４】
前記上端面と前記底面のそれぞれには段差が形成され、
前記支持部は前記上端面と前記底面の段差のうち何れか１つが嵌合されて結合されることを特徴とする請求項３に記載の内容物容器。
【請求項５】
前記排出部は、
前記容器部の開放された一側をカバーするカバーキャップと、
前記カバーキャップにポンピング可能に設けられ、前記上端面が設けられるヘッドと、
を含み、
前記嵌合孔は、前記カバーキャップが上下部方向に挿入されるように前記底面から垂直方向に延長されるように形成されることを特徴とする請求項３に記載の内容物容器。
【請求項６】
前記容器部の下端部は前記ヘッドまたは前記カバーキャップのうち少なくとも何れか１つと直径が等しく形成され、
前記支持部は前記容器部の下端部が嵌合されるか、前記排出部が嵌合されることを特徴とする請求項５に記載の内容物容器。
【請求項７】
前記下端部の上下の長さは前記排出部の上端面から前記カバーキャップまでの長さと等しく形成されることを特徴とする請求項５に記載の内容物容器。
【請求項８】
前記ヘッドは内容物が排出されるノズルを含み、
前記嵌合孔には前記上端面が嵌合されて露出されるように上下貫通する貫通ホールが形成され、前記貫通ホールと連通し前記ノズルの吐出口を閉鎖する遮断溝を含むことを特徴とする請求項５に記載の内容物容器。
【請求項９】
前記支持部には、前記底面の周面の一部との間に空間が形成されるように前記貫通ホールの外側で貫通する構造を有する排出ホールがさらに形成されることを特徴とする請求項８に記載の内容物容器。
【請求項１０】
前記排出ホールは、前記貫通ホールと前記遮断溝の間に形成されることを特徴とする請求項９に記載の内容物容器。
【請求項１１】
前記支持部は前記底面に結合されることを基準として上広下狭の形態を有することを特徴とする請求項２に記載の内容物容器。
【請求項１２】
前記下端部は内周面または外周面にネジ山が形成され、
前記容器部は前記下端部が当接する周面にネジ山が形成され、前記下端部が前記容器部に着脱できるように設けられることを特徴とする請求項２に記載の内容物容器。
【請求項１３】
前記下端部は前記底面の反対側の端部に周囲に沿って凹んだ周溝が形成され、
前記支持部には前記周溝に嵌合されるように突出する結合突起が形成されることを特徴とする請求項２に記載の内容物容器。
【請求項１４】
前記容器部は下部の幅が狭く形成されるように上広下狭の形態を有することを特徴とする請求項１に記載の内容物容器。
【請求項１５】
ポンピングによって内容物を排出する排出部を含む容器部と、
前記容器部の下部をなす下端部に締結されて前記容器部を支持面に支持する支持部と、
を含み、
前記容器部は、上部に比べて前記下端部の幅が狭くなるように上広下狭の形態を有するが、前記容器部の中心部と前記下端部の傾斜角が異なるように形成されることを特徴とする内容物容器。
【請求項１６】
前記容器部は、内容物が収容される空間が拡大されるように前記中心部の周囲の少なくとも一部が４５度〜７０度の傾斜角をなし、
前記下端部は周囲全体が８０度〜１００度の傾斜角をなすことを特徴とする請求項１５に記載の内容物容器。
【請求項１７】
前記下端部は、直径が１５ｍｍ〜３３ｍｍで、上下の長さが２０ｍｍ〜３５ｍｍからなり、前記下端部の下部の端部が平らに形成されることを特徴とする請求項１５に記載の内容物容器。
【請求項１８】
前記下端部は、底面の直径が１８ｍｍ〜２２ｍｍで、前記底面の反対側である上端が２５ｍｍ〜３０ｍｍからなり、
前記底面と前記上端の間に屈曲が形成されて前記下端部の内部方向である仮想の中心軸に向かって少なくとも一部がくびれるように形成され、
上下の全長が２９ｍｍ〜３２ｍｍからなるが、屈曲領域の垂直の長さが２３ｍｍ〜２６ｍｍからなることを特徴とする請求項１７に記載の内容物容器。
【請求項１９】
前記下端部には下部の端部の反対側である上部の端部に隣接して周囲に沿って凹んだ周溝が形成され、
前記支持部には前記周溝に嵌合されるように突出する結合突起が形成されることを特徴とする請求項１５に記載の内容物容器。
【請求項２０】
前記周溝は凹んだ溝と突き出た構造が組み合わされてネジ山をなし、前記結合突起は前記周溝に噛み合うネジ山に形成されることで、前記下端部と前記支持部がネジ結合されることを特徴とする請求項１９に記載の内容物容器。
【請求項２１】
前記容器部は下端が開口され、
前記支持部は前記容器部の開口を閉鎖した状態で支持することを特徴とする請求項１５に記載の内容物容器。
【請求項２２】
前記支持部は、前記開口を開閉し、一側がヒンジ部材で連結され、他側がフックで引っかかるワンタッチキャップを含むことを特徴とする請求項２１に記載の内容物容器。
【考案の詳細な説明】
【技術分野】
【０００１】
本考案は内容物容器に関し、内容物の残量を最小限に抑えられる構造からなることができ、直立が容易になることができ、ポンピング動作が防止されて流通過程での内容物の漏れを防止することができる内容物容器に関する。
【背景技術】
【０００２】
通常、ポンピング運動によって吸引管に沿って容器部の内容物が外部に排出される内容物容器は、化粧品、洗剤、シャンプーなどの様々な内容物が収納される。
【０００３】
当該内容物容器は、流体状態の内容物を一定量ずつ外部に排出する機能を有することにより、使用の利便性を図るだけでなく、内容物の過度な排出を抑制して内容物の無駄使いを軽減することができるようにするもので、現在まで様々な構造が提案され広く使用されている。
【０００４】
内容物容器の一般的な原理は、手で容器の上端に形成されたヘッドを押し、ヘッドの作動によって生じる加圧力で内容物容器の内容物がポンピングされてヘッドに形成されたノズルを介して一定量ずつ外部に吐出することである。
【０００５】
しかし、通常の内容物容器は、流通過程で保管ボックスなどにぶつかってポンピング動作が任意で発生するため、内容物が漏れる問題が発生したり、直立が容易になるよう底面が上部に比べて拡張された構造からなり、残量の内容物が底面に広がる構造からなるため、うまく吸い上げられず、内容物の無駄遣いが発生したりすることがある。
【考案の概要】
【考案が解決しようとする課題】
【０００６】
本考案は従来技術を改善するために創出されたもので、本考案の目的は、流通過程での内容物の漏れを防止し、内容物の残量を最小限に抑えるか、または全て使い切ることができるようにしながらも直立が可能であり、内容物の無駄遣い及び汚染を防止するとともに使用上の利便性を向上させることができる内容物容器を提供することである。
【課題を解決するための手段】
【０００７】
本考案の一実施例による内容物容器は、ポンピングによって内容物を排出する排出部を含む容器部と、上記容器部の下端に締結されて上記容器部を支持面に支持する支持部と、を含み、上記支持部は、上記容器部の下端から分離された後、上記排出部に結合されて上記排出部をカバーすることを特徴とする。
【０００８】
本考案の他の実施例による内容物容器は、ポンピングによって内容物を排出する排出部を含む容器部と、上記容器部の下部をなす下端部に締結されて上記容器部を支持面に支持する支持部と、を含み、上記容器部は、上部に比べて上記下端部の幅が狭くなるように上広下狭の形態を有するが、上記容器部の中心部と上記下端部の傾斜角が異なるように形成されることを特徴とする。
【０００９】
具体的に、上記容器部は底面が形成され、上記底面から反対方向に一定区間を有する下端部を含み、上記支持部は上記容器部の下端部が嵌合される嵌合孔が形成されることができる。
【００１０】
具体的に、上記排出部は上端面を含み、上記支持部は上記排出部の上端面が嵌合されて上記排出部のポンピング動作を遮断するか、上記容器部の下部が嵌合されて上記容器部を直立させ、上記上端面と上記底面は同じ面積と同じ形状を有することができる。
【００１１】
具体的に、上記上端面と上記底面のそれぞれには段差が形成され、上記支持部は上記上端面と上記底面の段差のうち何れか１つが嵌合されて結合されることができる。
【００１２】
具体的に、上記排出部は、上記容器部の開放された一側をカバーするカバーキャップと、上記カバーキャップにポンピング可能に設けられ、上記上端面が設けられるヘッドと、を含み、上記嵌合孔は、上記カバーキャップが上下部方向に挿入されるように上記底面から垂直方向に延長されるように形成されることができる。
【００１３】
具体的に、上記容器部の下端部は上記ヘッドまたは上記カバーキャップのうち少なくとも何れか１つと直径が等しく形成され、上記支持部は上記容器部の下端部が嵌合されるか、上記排出部が嵌合されることができる。
【００１４】
具体的に、上記下端部の上下の長さは上記排出部の上端面から上記カバーキャップまでの長さと等しく形成されることができる。
【００１５】
具体的に、上記ヘッドは内容物が排出されるノズルを含み、上記嵌合孔には上記上端面が嵌合されて露出されるように上下貫通する貫通ホールが形成され、上記貫通ホールと連通し上記ノズルの吐出口を閉鎖する遮断溝を含むことができる。
【００１６】
具体的に、上記支持部には、上記底面の周面の一部との間に空間が形成されるように上記貫通ホールの外側で貫通する構造を有する排出ホールがさらに形成されることができる。
【００１７】
具体的に、上記排出ホールは、上記貫通ホールと上記遮断溝の間に形成されることができる。
【００１８】
具体的に、上記支持部は上記底面に結合されることを基準として上広下狭の形態を有することができる。
【００１９】
具体的に、上記下端部は内周面または外周面にネジ山が形成され、上記容器部は上記下端部が当接する周面にネジ山が形成され、上記下端部が上記容器部に着脱できるように設けられることができる。
【００２０】
具体的に、上記下端部は上記底面の反対側の端部に周囲に沿って凹んだ周溝が形成され、上記支持部には上記周溝に嵌合されるように突出する結合突起が形成されることができる。
【００２１】
具体的に、上記容器部は下部の幅が狭く形成されるように上広下狭の形態を有することができる。
【００２２】
具体的に、上記容器部は、内容物が収容される空間が拡大されるように上記中心部の周囲の少なくとも一部が４５度〜７０度の傾斜角をなし、上記下端部は周囲全体が８０度〜１００度の傾斜角をなすことができる。
【００２３】
具体的に、上記下端部は、直径が１５ｍｍ〜３３ｍｍで、上下の長さが２０ｍｍ〜３５ｍｍからなり、上記下端部の下部の端部が平らに形成されることができる。
【００２４】
具体的に、上記下端部は、底面の直径が１８ｍｍ〜２２ｍｍで、上記底面の反対側である上端が２５ｍｍ〜３０ｍｍからなり、上記底面と上記上端の間に屈曲が形成されて上記下端部の内部方向である仮想の中心軸に向かって少なくとも一部がくびれるように形成され、上下の全長が２９ｍｍ〜３２ｍｍからなるが、屈曲領域の垂直の長さが２３ｍｍ〜２６ｍｍからなることができる。
【００２５】
具体的に、上記下端部には下部の端部の反対側である上部の端部に隣接して周囲に沿って凹んだ周溝が形成され、上記支持部には上記周溝に嵌合されるように突出する結合突起が形成されることができる。
【００２６】
具体的に、上記周溝は凹んだ溝と突き出た構造が組み合わされてネジ山をなし、上記結合突起は上記周溝に噛み合うネジ山に形成されることで、上記下端部と上記支持部がネジ結合されることができる。
【００２７】
具体的に、上記容器部は下端が開口され、上記支持部は上記容器部の開口を閉鎖した状態で支持することができる。
【００２８】
具体的に、上記支持部は、上記開口を開閉し、一側がヒンジ部材で連結され、他側がフックで引っかかるワンタッチキャップを含むことができる。
【考案の効果】
【００２９】
本考案による内容物容器は、容器部の下端部の直径がヘッド及び／またはカバーキャップの直径と同じ／類似するように狭く形成されながらも直立が容易で、内部が開放できる構造からなるため、内容物の残量を最小限に抑えるか、残量の内容物を全て取り出すことができ、流通過程において吐出口が閉鎖された状態で保管できるため、虫／異物などによる汚染を防止することができ、ヘッドの回転を防止してヘッドのねじの緩みを遮断するだけでなく、ポンピング動作を遮断して内容物が任意で漏れることを防止することができ、支持部を容器部の直立のために使用したり、流通過程でカバー用に使用することができるため、費用対比で様々な効果を創出することができる。
【図面の簡単な説明】
【００３０】
【図１】本考案の一実施例による内容物容器において支持部が容器部に結合された状態を示した図である。
【図２】本考案の一実施例による内容物容器において支持部が分離された状態を示した図である。
【図３】本考案の一実施例による内容物容器の支持部を説明するための図である。
【図４】本考案の一実施例による内容物容器において支持部が排出部に結合された状態を示した図である。
【図５】図４の下端部の一部を他の方向から示した図である。
【図６】図５の一部を他の方向から示した図である。
【図７】本考案の一実施例による内容物容器の他の形態の容器部が設けられる内部を示した図である。
【図８】図７のＡを拡大して示した図である。
【図９】図７において容器部の上下方向が変更された状態を示した図である。
【図１０】図９のＢを拡大して示した図である。
【図１１】図９の支持部の一部を示した図である。
【図１２】図９の外部正面を示した図である。
【図１３】図１２の容器部の上下方向が変更された状態を示した図である。
【図１４】本考案の他の実施例による内容物容器を示した図である。
【図１５】図１４の内部の様子を示した図である。
【図１６】図１４において支持部が分離された状態を示した図である。
【図１７】内容物容器の下端部の構造による内容物の残量を比較して示した図である。
【考案を実施するための形態】
【００３１】
本考案の目的、特定の利点及び新規な特徴は、添付の図面と関連する以下の詳細な説明と好ましい実施例からより明確になるだろう。本明細書では、各図面の構成要素に参照番号を付するにおいて、同じ構成要素に限ってはたとえ他の図面上に表示されたとしても可能な限り同じ番号を付していることに留意すべきである。また、本考案を説明するに当たり、係わる公知技術に対する具体的な説明が本考案の要旨を不要に不明確にすると判断される場合には、その詳細な説明を省略する。
【００３２】
以下、添付の図面を参照して本考案の好ましい実施例を詳細に説明する。
【００３３】
図１は本考案の一実施例による内容物容器において支持部が容器部に結合された状態を示したものであり、図２は本考案の一実施例による内容物容器において支持部が分離された状態を示したものであり、図３は本考案の一実施例による内容物容器の支持部を説明するためのものであり、図４は本考案の一実施例による内容物容器において支持部が排出部に結合された状態を示したものであり、図５は図４の下端部の一部を他の方向から示したものであり、図６は図５の一部を他の方向から示したものである。
【００３４】
図７は本考案の一実施例による内容物容器の他の形態の容器部が設けられる内部を示したものであり、図８は図７のＡを拡大して示したものであり、図９は図７において容器部の上下方向が変更された状態を示したものであり、図１０は図９のＢを拡大して示したものであり、図１１は図９の支持部の一部を示したものであり、図１２は図９の外部正面を示したものであり、図１３は図１２の容器部の上下方向が変更された状態を示したものである。
【００３５】
そして、図１４は本考案の他の実施例による内容物容器を示したものであり、図１５は図１４の内部の様子を示したものであり、図１６は図１４において支持部が分離された状態を示したものである。
【００３６】
また、図１７は内容物容器の下端部の構造による内容物の残量を比較して示したものである。
【００３７】
図１〜図１７を参照すると、本考案の実施例による内容物容器１００は、容器部１１０及び支持部１２０を含んでもよい。
【００３８】
容器部１１０は内容物が収容できるように中空が形成されてもよい。容器部１１０に収容される内容物は化粧品やシャンプー、歯磨き粉などであってもよく、内容物の種類は特に限定されない。
【００３９】
但し、本実施例において、内容物は、少なくとも排出部１１１の吸引管１１１Ｃに沿って吸引されて排出できる状態の物質（例えば、液体）であることを例に挙げて説明する。
【００４０】
容器部１１０は内容物が排出されるように一側が開放された形態で設けられてもよく、開放された一側にはポンピングによって内容物を排出する排出部１１１が含まれてもよい。排出部１１１が結合されることにより、容器部１１０の開放された一側は密閉された状態を保持することができ、容器部１１０に収容された内容物は排出部１１１を介して外部に排出されることができ、内容物が下部において容易に集まる構造を有する下端部１１２が設けられてもよい。ここで、内容物の排出は、実施例の変形例に応じて下端部１１２が分離されて、ポンピング動作以外に取り出す形で内容物が排出されるこもでき、これについては後述する。
【００４１】
まず、排出部１１１は、容器部１１０の一側（図１及び図２を基準として上部）に設けられて内容物を吐出することができ、排出部１１１は、容器部１１０において開放された一側に結合されて開放された一側を密閉することができ、ヘッド１１１Ａとカバーキャップ１１１Ｂを含んでもよい。
【００４２】
ヘッド１１１Ａは使用者によって押される構成であり、一側に吐出口（符号図示せず）を有することができる。吐出口はヘッド１１１Ａの一側に形成される単純な穴であってもよく、または内容物を排出するノズル１１１ＡＡに形成されている吐出路であってもよい。当該ヘッド１１１Ａは、圧力を受けやすくするために比較的広い面積（例えば、直径０．５ｃｍ以上）を有する上端面１１１ＡＢを含んでもよく、上端面１１１ＡＢの側方向に延長されたノズル１１１ＡＡが付加される形態であってもよいが、ヘッド１１１Ａの形態は特に限定しない。
【００４３】
従って、上端面１１１ＡＢは、図１に示したように上端全体が平らで段差が形成されないか、図２に示したように上端は平らでその周面に段差が形成されて後述するように支持部１２０の貫通ホール１２１Ａに嵌合されて固定されるか、または、図７、図１２、図１４に示したように上部が曲面構造を有することができるなど、様々な変形例が可能である。
【００４４】
また、ヘッド１１１Ａの下部には、内容物が吸い上げられる吸引管１１１Ｃとポンピング動作のためのシリンダー（符号図示せず）が設けられてもよく、カバーキャップ１１１Ｂにポンピングができるように設けられてもよく、このような構造及び動作は公知の技術に代えて説明は省略する。
【００４５】
但し、ヘッド１１１Ａは、流通過程でポンピング動作が任意で発生しないようにカバーキャップ１１１Ｂの内周面に形成されたネジ山によってネジ締めされることにより、排出部１１１のポンピング動作が防止されることができる。しかし、ヘッド１１１Ａは、保管ボックスでの揺れなどによってボックスとぶつかりながらヘッド１１１Ａのネジ締めが緩んでポンピング動作が任意で行われる問題が生じる可能性があり、当該問題を防止すべく、本実施例は支持部１２０によりヘッド１１１Ａの回転が防止されることができる。無論、本実施例によるヘッド１１１Ａは、支持部１２０によってポンピング動作も防止されることができるため、カバーキャップ１１１Ｂとのネジ締めが省略されてもよい。
【００４６】
カバーキャップ１１１Ｂは、容器部１１０において開放された一側にネジ結合などの多様な方式により結合されることで、容器部１１０の開放された一側をカバーして密閉することができ、ヘッド１１１Ａが昇降できるように設けられてもよい。即ち、カバーキャップ１１１Ｂは、ヘッド１１１Ａの昇降ができるようにするために内部が上下に貫通する形状であってもよい。このとき、カバーキャップ１１１Ｂにおいて上下に貫通した内部に吸引管１１１Ｃが位置することができる。また、カバーキャップ１１１Ｂと容器部１１０との間にはシールのための構造が設けられてもよい。
【００４７】
このような容器部１１０は合成樹脂、金属などの様々な材質で製作されてもよく、内容物を収容することができる空間を形成するのであれば、その材質には制限がない。但し、容器部１１０と排出部１１１との結合のために少なくとも排出部１１１が結合される容器部１１０の一側は剛性を有する材質からなってもよく、製造の容易さと製造費の節減のために合成樹脂からなってもよい。
【００４８】
このとき、合成樹脂からなる容器部１１０は、排出部１１１によって重心が上部に偏ることがあるため、内容物をすべて使い切った後、容易に倒れることがあるが、本実施例は、内容物を使い切った後でも容器部１１０の直立が容易になるよう支持部１２０によって支持されることができる。
【００４９】
特に、本実施例は、排出部１１１の上端面１１１ＡＢと下端部１１２の底面１１２Ａが同じ直径（図２、切断された様子が示された図３のＡを参照）を有することができるため（または面積と形状が同じ）、支持部１２０の嵌合孔１２１が容器部１１０の下端部１１２だけでなく、排出部１１１と嵌合結合が可能であり、容器部１１０は１つの支持部１２０でポンピング動作が遮断されて内容物が任意で排出されることが防止されながらも支持部１２０による直立が容易になることができる。容器部１１０は下端が狭く形成されても支持部１２０による直立が可能であることは言うまでもない。
【００５０】
さらに、容器部１１０の下端部１１２は内容物が下部で容易に集まる構造の構成であり、平らな底面１１２Ａを有し、底面１１２Ａの反対方向（図２を基準として上部方向）に一定区間を有することができ、ヘッド１１１Ａ及び／またはカバーキャップ１１１Ｂの直径と等しく（図２、３のＢを参照）形成されることができるため（または面積と形状が同じ）、支持部１２０が容器部１１０の下端部１１２とヘッド１１１Ａ／カバーキャップ１１１Ｂのそれぞれに互換されて結合されることができ、簡略化すると、実施例に応じては下端部１１２の底面１１２Ａは省略されてもよい。
【００５１】
このような下端部１１２は、従来の内容物容器が直立を容易にするために底面が広く形成されることに伴って内容物が広がる構造から脱却し、底面１１２Ａの断面積がカバーキャップ１１１Ｂのように狭く形成されることで、同じ量の内容物に対して内容物が広がらず集まる構造にすることができるため、吸引管１１１Ｃに届く内容物の容量を増加させることができるようになる。従って、本実施例の容器部１１０は、下端部１１２に集まった内容物を、吸引管１１１Ｃを介して容易に吸い上げることができ、残量の最小化を図ることができる。
【００５２】
また、下端部１１２は分離される構造であってもよく、排出部１１１の反対側で着脱される構造であってもよいため、内容物をほとんど使い切った状態で容器部１１０から分離されて、ポンピング動作による排出ではない取り出す形で内容物が排出されることもできる。このとき、下端部１１２は内周面または外周面にネジ山（図示せず）が形成されてもよく、容器部１１０は下端部１１２が当接する周面にネジ山（図示せず）が形成されることで、下端部１１２が容器部１１０に着脱可能（結合／分離構造）に設けられてもよい。
【００５３】
また、下端部１１２の底面１１２Ａと排出部１１１の上端をなす上端面１１１ＡＢのそれぞれに段差が形成されて容器部１１０と支持部１２０の固定が保持されるように結合力が向上することができる。即ち、下端部１１２の底面１１２Ａと排出部１１１の上端面１１１ＡＢのそれぞれの段差のうち何れか１つが支持部１２０の嵌合孔１２１に嵌合されて引っかかる構造からなって固定が保持される構造であってもよい。
【００５４】
さらに、下端部１１２は、底面１１２Ａの反対側の端部（またはこれに隣接する領域）に周溝１１２Ｂ（図２、図４、図７、図１０を参照）が形成されてもよいが、周溝１１２Ｂは支持部１２０の結合突起１２２と対向する下端部１１２の上端部の周囲に沿って溝の構造からなり、結合突起１２２が嵌合されることができる（図９、図１０を参照）。これにより、容器部１１０に支持部１２０が結合される構造を成すことができ、結合力が向上することができる。
【００５５】
また、周溝１１２Ｂは、単に凹んだ溝状に形成されて結合突起１２２が嵌合される構造からなってもよいが、これとは異なって、周溝１１２Ｂがネジ山状に設けられて支持部１２０の結合突起１２２とネジ結合の方式で締結されることもできるなど、様々な変形例が可能である。
【００５６】
また、周溝１１２Ｂが形成される下端部１１２の領域は、周溝１１２Ｂが凹むその深さに対応して下端部１１２の厚さが薄くならないように、容器部１１０の内部方向に周溝１１２Ｂが凹んで形成される分だけ突き出る構造を有することもできる（図１０を参照）。
【００５７】
さらに、下端部１１２の上下の長さは、排出部１１１の上端面からカバーキャップ１１１Ｂの下端までの長さと等しく形成されてもよく、容器部１１０の排出部１１１と下端部１１２が支持部１２０によってカバーされる形態は対称である形態であってもよいが、これに限定されるものではない。
【００５８】
このような容器部１１０は、排出部１１１のカバーキャップ１１１Ｂから下端部１１２までの直径が同一／類似するように形成される円筒構造であってもよいが、内容物の収容容量が向上するように図１及び図２に示したように排出部１１１と下端部１１２の間が拡張される構造であってもよく、例えば、容器部１１０は下部の幅が狭く形成されて上広下狭の形態であってもよい。
【００５９】
また、容器部１１０の上広下狭の形態は前後、左右の全体が拡張される構造であってもよいが、図１などに示したように前後の幅は上部と下部が類似し、左右の幅は下部に比べ上部が拡張される構造であってもよい。
【００６０】
一方、図１４〜図１６を参照すると、容器部１１０の下端部１１２は支持部１２０に着脱される構造ではなく、底面１１２Ａが省略されて下部が開放された構造であってもよい。
【００６１】
このとき、下端部１１２は保管、販売などのように内容物が一定量以上収容された状態では閉鎖された構造であることができ、開放された下部が支持部１２０によって閉鎖された構造をなすか、別のシーリング紙（図示せず）によって閉鎖された構造をなすことができる。
【００６２】
このように容器部１１０の下部が開放された構造を有する下端部１１２の場合、簡単には図１５を基準として支持部１２０の下部は閉鎖された構造で、貫通ホール１２１Ａの下部にワンタッチキャップ（図示せず）が形成されるか、または貫通ホール１２１Ａが上下に貫通されず、嵌合孔１２１が溝の構造からなってもよい。
【００６３】
さらに、下端部１１２の上部領域をなす容器部１１０の拡張部（符号図示せず、容器部１１０の中心部である中心領域とその上部領域を含む構成であってもよい）は、内容物が収容される空間が拡張されるように、少なくとも一部が下端部１１２に比べ周囲の傾斜角が小さく形成されて、図１２及び図１４を基準として正面から４５度〜７０度の範囲の傾斜角を、側面に対しては７０度以上の傾斜角を成すことができるが、全体的に４５度〜７０度の傾斜角を成すこともできる。
【００６４】
一方、下端部１１２は、ポンピングによる内容物の排出が容易になるように、傾斜角度が垂直または垂直に近く形成されることができ、下端部１１２の周囲の傾斜角が９０度に比べて＋１０度〜−１０度の範囲からなり、８０度〜１００度の傾斜角をなすことができる。
【００６５】
従って、下端部１１２は上下の幅が等しく形成されて垂直になるか、下端部１１２の周面が上向傾斜または下方傾斜する構造を有することができ、空間の断面積が加減される構造を有することもできる（図９を参照すると、空間の断面積が下部に向かって増加する構造が例示されている）。
【００６６】
また、下端部１１２は、ポンピング動作による内容物の吸い上げがより容易な構造になるように下端部１１２の直径が１５ｍｍ〜３３ｍｍからなり、上下の長さ（全長）が２０ｍｍ〜３５ｍｍからなってもよい。
【００６７】
具体的には、下端部１１２は底面の直径が１８ｍｍ〜２２ｍｍからなり、２１ｍｍ前後からなることができ、上記底面の反対側である上端が２５ｍｍ〜３０ｍｍからなり、２７ｍｍ前後からなることができる。
【００６８】
そして、底面１１２Ａまたは底面１１２Ａが省略される場合、下端と上端の間に屈曲１１２Ｃが形成されることで、下端部１１２の内部方向である仮想の中心軸に向かってくびれる構造を有することができる。
【００６９】
また、下端部１１２の上下の全長は２９ｍｍ〜３２ｍｍからなるが、屈曲領域の垂直の長さは２３ｍｍ〜２６ｍｍからなり、２４ｍｍ前後からなることができる。
【００７０】
そして、このような例は、図１２〜図１４に開示される容器部１１０だけでなく、図１、図７などに開示される容器部１１０にも適用可能であり、本実施例は互いに組み合わることもできる。
【００７１】
このような下端部１１２は、図１７に示したように、容器部１１０の下端部１１２が６０度の円錐（ｓａｍｐｌｅ１参照）からなる場合、５０度円錐（ｓａｍｐｌｅ２参照）からなる場合、円錐台の構造からなって底面が平らな構造である場合（ｓａｍｐｌｅ３、４を参照、但し、ｓａｍｐｌｅ３、４は同じ形状）に比べて改善されたものであるが分かる。
【００７２】
即ち、下部に内容物が集まる円錐や円錐台からなってもポンピング後に残量が残るしかなく、内容物の充填量が７４ｇ前後の場合（テスト内容物の充填量は７４．３ｇ、７４．５ｇ、７５ｇ、７５．５ｇである）、ポンピング後の純粋な内容物の残量が１５ｇの範囲内であるが（テストの結果、１５．３ｇ、１３．６ｇ、１５．５ｇ、１６．１ｇと導出される）、本実施例は（ｓａｍｐｌｅ５、６を参照、但し、ｓａｍｐｌｅ５、６は同じ型状）類似する範囲の充填量である７４ｇ前後（７４．８ｇ、７４．２ｇである）の場合、ポンピング後の純粋な内容物の残量が１２．３ｇ、１２．８ｇで、残量の範囲が１３ｇ以下となり、構造改善を通じて残量が減少することが分かる。
【００７３】
このような容器部１１０は、実施例に応じて支持部１２０との結合が異なってもよく、容器部１１０の上部に形成された排出部１１１の上端面１１１ＡＢが支持部１２０と締結されずに下端部１１２の底面１１２Ａと結合されたり、底面１１２Ａが省略される場合は、下端部１１２が単に嵌合されるかまたは下端部１１２の周面のうち少なくとも一部がネジ結合されたり、排出部１１１と下端部１１２の全てが支持部１２０に結合されることもできるなど、様々な実施例が可能である。
【００７４】
支持部１２０は大きく２つの機能を有することができ、実施例の変形例に応じて何れか１つの機能だけを有することもできる。一つ目は容器部１１０の底部に締結されて容器部１１０を支持面に支持する機能であり、二つ目は内容物容器１００の輸送／運搬などの流通状況において、即ち、陳列された状態ではない場合、容器部１１０の底部に結合されずに排出部１１１に結合されて排出部１１１を単にカバーするか、排出部１１１のポンピング動作を干渉することで、輸送過程で発生し得る保管ボックス／隣接する他の内容物容器１００とのぶつかりによる排出部１１１のネジの緩み及び／またはポンピング動作を防止することができる。
【００７５】
ここで、二つ目の場合、支持部１２０は、排出部１１１を単にカバーする構造からなるか、排出部１１１のヘッド１１１Ａが上下に動作しないように干渉することにより、排出部１１１のポンピング動作を防止することができるが、さらに、カバーキャップ１１１Ｂの内周面に形成されたネジ面にヘッド１１１Ａの外周面（吸引管１１１Ｃが連結される地点であってもよい）に形成されたネジ面がネジ締めされてヘッド１１１Ａのポンピング動作が遮断される構造になると、外力などによってヘッド１１１Ａのノズル１１１ＡＡが開く方向に回転するのを防止することもできる。これは後述する嵌合孔１２１の遮断溝１２１Ｂにノズルが引っかかる形態で保管されることにより達成することができる。
【００７６】
但し、実施例に応じて、一つ目の機能である容器部１１０の底部に締結されて容器部１１０を支持面に支持するが、二つ目の機能である排出部１１１のカバーはしないこともあり、後述する嵌合孔１２１は貫通ホール１２１Ａが省略されて閉鎖された構造であることもできる。
【００７７】
また、二つ目の場合、流通過程だけでなく、容器部１１０の内容物をすべて使い切ってからリフィルする過程において排出部１１１は容器部１１０から分離される必要があるが、このとき、使用者は排出部１１１を握ることなく、支持部１２０に嵌め込んだ状態にしておくことができるため、使用者が片手でリフィル容器を握り、他の手で容器部１１０の入口を握ることによって手が足りなくなり、排出部１１１を底面に横にしておく必要がないため、吸引管１１１Ｃに付着している内容物によって底面が汚れたり、底面の異物が吸引管１１１Ｃに付着したり、する恐れがない。
【００７８】
例えば、支持部１２０には、嵌合孔１２１、結合突起１２２、排出ホール１２３が形成されてもよい。
【００７９】
嵌合孔１２１に関し、まず、支持部１２０の嵌合孔１２１に容器部１１０の下端部１１２が嵌合されて容器部１１０が直立できるように支持されることができ、次に、嵌合孔１２１に排出部１１１の上端面１１１ＡＢが嵌合されることによって排出部１１１が支持部１２０内で干渉を受けて単にカバーされたり、ポンピング動作が遮断されたりすることができる。
【００８０】
具体的には、嵌合孔１２１は、カバーキャップ１１１Ｂが上下方向に挿入されるように底面１１２Ａから垂直方向に延長／拡張されるように形成されてもよく、上端面１１１ＡＢが嵌合されるとき、上端面１１１ＡＢが外部に露出されるように上下貫通する貫通ホール１２１Ａを含んでもよく、貫通ホール１２１Ａと連通し、ヘッド１１１Ａに形成されるノズル１１１ＡＡの吐出口を閉鎖する遮断溝１２１Ｂが形成されてもよい。
【００８１】
ここで、貫通ホール１２１Ａは、容器部１１０の下端部１１２や排出部１１１のカバーキャップ１１１Ｂの両方が挿入される構造を有するように下部から直線状に貫通する構造からなってもよい。このような貫通ホール１２１Ａの上下の長さは下端部１１２の上下の長さと等しく形成されてもよい。
【００８２】
但し、貫通ホール１２１Ａは、上述したように、容器部１１０の下端部１１２が結合されて固定される構成であることができるため、嵌合孔１２１は貫通ホール１２１Ａが省略され閉鎖された状態からなり、凹んだ溝の構造からなってもよい（図１５を参照）。
【００８３】
結合突起１２２は、貫通ホール１２１Ａの端部である支持部１２０の端部の内側周面に突出する構造であって、下端部１１２の周溝１１２Ｂに嵌合されることができ、周溝１１２Ｂに嵌合された結合突起１２２によって支持部１２０と容器部１１０の結合力が向上することができるため、支持部１２０から容器部１１０が任意で離脱することを防止することができる（図１、図９、図１０を参照）。従って、容器部１１０は支持部１２０と結合された状態で直立状態が保持されることができる。
【００８４】
このような結合突起１２２は、周溝１１２Ｂに対向して水平方向に突出する１つ以上の突起形状／リム（ｒｉｍ）形状からなることができるため、貫通ホール１２１Ａの内側周囲の形状に対応して「Ｃ」字状またはリング構造であるか、不連続的な線構造からなって容器部１１０の両側方向で干渉する構造であるか、円形（半球）に突出する複数個の突起状からなるなど、多様な形態が可能である。
【００８５】
さらに、結合突起１２２は、容器部１１０が直立状態の容器部１１０の下端部１１２と結合されること以外、逆に立てられた容器部１１０のカバーキャップ１１１Ｂの外側に締まり嵌めされて容器部１１０の逆立状態を保持させることもできる（図４、図７、図８を参照）。
【００８６】
このとき、カバーキャップ１１１Ｂに結合突起１２２が圧着されて締まり嵌めされるように、結合突起１２２はカバーキャップ１１１Ｂの外径より大きな直径で突出した構造を有することができる。
【００８７】
排出ホール１２３は、容器部１１０の底面１１２Ａの周面の一部との間に空間が形成されるように貫通ホール１２１Ａの外側で貫通する構造を有し、遮断溝１２１Ｂに跳ねた水が排出されるようにすることができ、排出ホール１２３は貫通ホール１２１Ａと遮断溝１２１Ｂの間に形成されることができる。
【００８８】
このような支持部１２０は底面１１２Ａに結合され、上端面１１１ＡＢが上部に形成されることを基準として上広下狭の形態を有することができるため、容器部１１０の直立性を向上させて容器部１１０が倒れることを防止することができる。
【００８９】
また、図３及び図５を参照すると、支持部１２０は嵌合孔１２１と排出ホール１２３が形成される周面の最下部が地面に接しないように、地面に接する支持部１２０の外郭の周囲より上下の長さが短く形成されてもよい。これにより、嵌合孔１２１に容器部１１０が結合されて地面に直立しても容器部１１０の底面１１２Ａが地面に接しないため、水気などにより容器部１１０が汚れることを防止することができる。
【００９０】
一方、図１４〜図１６を参照すると、支持部１２０は、下部が開放された構造を有する下端部１１２をカバーすることもできる。このとき、図１４を基準として支持部１２０の下部は、閉鎖された構造からなって下端部１１２の開口部（底面１１２Ａが省略された構造）を閉鎖することにより、下端部１１２の反対側でポンピング動作をするとき、内容物が排出されるようにすることができる。
【００９１】
但し、内容物をほぼ使い切ってポンピングによる残量内容物の排出が難しい場合は、開口された下端部１１２を介して内容物を排出することができ、または、内容物のリフィルのために開口された下端部１１２を開放させることができる。このとき、支持部１２０が容器部１１０の下端部１１２から分離されるか、支持部１２０が開放されることができる。
【００９２】
例えば、支持部１２０は、排出部１１１の形状には対応せず、下端部１１２の形状と対応するように形成され、内部に円柱の空間を備えて下端部１１２とネジ結合の方式で締結されてもよく、支持部１２０の内周面と下端部１１２の外周面のそれぞれにネジ山が形成されてもよい。
【００９３】
ここで、ネジ山は、図１５、図１６を示したように段差１１２Ｄの下部において下端部１１２の左右周面全体にわたって設けられてもよい。
【００９４】
一方、上述したように、支持部１２０の周溝１１２Ｂは凹んだ溝の構造の他に、凹んだ溝と突き出た構造が組み合わさるネジ山の形状に設けられてもよく、周溝１１２Ｂと支持部１２０のネジ結合が形成されることもあるため、下端部１１２の左右周面全体にネジ山が形成されなくてもよく、このとき、周溝１１２Ｂは支持部１２０の上部領域に設けられることができるため、周溝１１２Ｂの下部は何の模様もなしに形成されて容器部１１０内の残量内容物が支持部１２０に収容された状態となってから使用者が支持部１２０から内容物をかき集めて取り出すこともできるなど、様々な変形例が可能である。
【００９５】
また、支持部１２０から内容物を取り出して使用する場合、支持部１２０の下部は閉鎖された構造を有することができるが、容器部１１０の下端部１１２より拡張された構造を有する支持部１２０は、下端部１１２をカバーした状態で下端部１１２の外側に十分な空間が形成されることができるため、化粧品のヘラ（ｓｐａｔｕｌａ）などの道具が挿入されて保管されてもよく、容器部１１０が分離された後、支持部１２０に移された内容物をへらを利用して取り出して使用することもできる。
【００９６】
このように、図１４〜図１６に開示された支持部１２０は、図３などに開示された支持部１２０に貫通ホール１２１Ａが形成されるものとは異なって、嵌合孔１２１に貫通ホール１２１Ａが形成されず、下部面が形成される溝の構造からなって下部が閉鎖された構造を有することができ、下部から上部方向に凹んだ別の溝の構造が追加されてへらが保管される構造を有するか、下端部１１２が挿入される方向と同じ方向に凹んだ溝の構造が追加されてへらが露出される形で立てられて保管される構造を有するなど、本考案に矛盾しないのであれば、様々な変形例が可能である。
【００９７】
一方、支持部１２０が開口された下端部１１２を閉鎖しても、貫通ホール１２１Ａが上下に貫通する構造を有することができるが、このとき、支持部１２０の下部にワンタッチキャップ（図示せず）が形成されることができる。
【００９８】
例えば、ワンタッチキャップは貫通ホール１２１Ａをカバーするフリップの形態（または平らな皿状など）の蓋の構造を有し、支持部１２０の一側に蝶状などのヒンジ部材で連結され、ヒンジ部材の反対側である他側にフックなどが設けられて、フックへの引っかかりまたは解除を通じて開閉状態を変更することができる。
【００９９】
また、ワンタッチキャップは支持部１２０の下面全体を形成することもできるが、ワンタッチキャップは開口された下端部１１２をカバーする構成であるため、下端部１１２のサイズに対応し、下端部１１２に比べて１ｍｍ〜３ｍｍ大きい直径からなって下端部１１２の下面に比べてサイズが小さく形成されることができる。
【０１００】
そして、上述したように、支持部１２０は、嵌合孔１２１と排出ホール１２３が形成される周面の最下部が地面に接しないように設けられることができるため、ワンタッチキャップも底面に接しない構造になるように支持部１２０の下端の外郭周囲がワンタッチキャップより下方に延長／突出する構造を有することができるなど、様々な変形例が可能である。
【０１０１】
このように、本実施例は、流通過程で吐出口が閉鎖された状態で保管することができるため、虫／異物などによる汚染を防止することができ、ヘッド１１１Ａの回転を防止してヘッド１１１Ａのネジの緩みを防止するだけでなく、ポンピング動作を遮断して内容物が任意で漏れることを防止することができ、容器部１１０の下端部１１２の直径がヘッド１１１Ａ及び／またはカバーキャップ１１１Ｂの直径と同一でありながら分離される構造からなることにより、内容物の残量が最小限に抑えられるか、残量内容物をすべて取り出すことができ、流通過程で使用された支持部１２０を容器部１１０の直立のために活用することができるため、費用に比べて様々な効果を創出することができる。
【０１０２】
また、本考案は上記で説明した実施例に限定されず、上記実施例の組み合わせまたは上記実施例のうち少なくとも何れか１つと公知技術の組み合わせをさらに他の実施例として含むことができる。
【０１０３】
以上、本考案を具体的な実施例を通じて詳細に説明したが、これは本考案を具体的に説明するためのものであり、本考案はこれに限定されず、本考案の技術的思想内で当該分野の通常の知識を有する者によってその変形や改良が可能であることは明らかである。
【０１０４】
本考案の単純な変形ないし変更は全て本考案の範囲に属し、本考案の具体的な保護範囲は添付の実用新案登録請求の範囲によって明確になるだろう。
【符号の説明】
【０１０５】
１００  内容物容器
１１０  容器部
１１１  排出部
１１２  下端部
１２０  支持部
１２１  嵌合孔
１２２  結合突起
１２３  排出ホール
【図１】
0003228372.tif 000003
【図２】
0003228372.tif 000004
【図３】
0003228372.tif 000005
【図４】
0003228372.tif 000006
【図５】
0003228372.tif 000007
【図６】
0003228372.tif 000008
【図７】
0003228372.tif 000009
【図８】
0003228372.tif 000010
【図９】
0003228372.tif 000011
【図１０】
0003228372.tif 000012
【図１１】
0003228372.tif 000013
【図１２】
0003228372.tif 000014
【図１３】
0003228372.tif 000015
【図１４】
0003228372.tif 000016
【図１５】
0003228372.tif 000017
【図１６】
0003228372.tif 000018
【図１７】
0003228372.tif 000019